(57)【要約】【課題】道路を走行している状況に応じた運転者の注意喚起を行う「注意喚起システム」を提供する。【解決手段】情報管理システム２の統計情報データベース２４に道路区間とレーンの組み合わせ毎に、過去に当該道路区間の当該レーンを走行したときの各ドライバの基準となる状態を表すドライバ状態統計値を格納する。車載システム１の注意喚起部１０１２は、走行中の道路区間、走行中のレーンの組み合わせに対応するドライバ状態統計値を取得し、ドライバ状態検出部１０１３が生体センサ１０５を用いて検出しているドライバ状態が表す運転者が運転に注意を払っている度合いが、ドライバ状態統計値が表す運転者が運転に注意を払っている度合いよりも低い場合には、注意喚起を出力する。【選択図】図２
2020009084.tif 000002
【特許請求の範囲】
【請求項１】
自動車の運転者の注意を喚起する注意喚起システムであって、
情報サーバと、
前記情報サーバと無線通信を介したデータ通信を行える、前記自動車に搭載された車載システムとを備え、
前記情報サーバは、
各道路の各レーンに対応づけて、当該道路の当該レーンを走行する際の基準となるドライバの状態を表す基準ドライバ状態データを格納したデータベースと、
車載システムに当該車載システムから要求された道路とレーンに対応づけられている前記データベースの基準ドライバ状態データを、前記データ通信によって前記車載システムに提供するデータ提供手段とを有し、
前記車載システムは、
前記自動車が走行中の道路と走行中のレーンを検出する走行位置検出手段と、
前記自動車のドライバの状態を検出する状態検出手段と、
前記走行位置検出手段が検出した道路と前記走行位置検出手段が検出したレーンとに対応づけられた基準ドライバ状態データを、前記情報サーバの前記データ提供手段に要求することにより取得するデータ取得手段と、
前記データ取得手段が取得した前記基準ドライバ状態データが表すドライバの状態に比べ、前記状態検出手段が検出した前記自動車のドライバの状態が運転に対する注意の程度が低いことを表しているときに、前記自動車のドライバの注意を喚起する所定の処理を行う注意喚起手段とを有することを特徴とする注意喚起システム。
【請求項２】
請求項１記載の注意喚起システムであって、
前記情報サーバは、基準ドライバ状態データを生成し前記データベースに格納する基準ドライバ状態データ生成手段を有し、
前記車載システムは、前記状態検出手段が検出した前記自動車のドライバの状態を、当該ドライバの状態を検出した時点に前記自動車が走行していた道路とレーンと共にドライバ状態情報として前記情報サーバに前記データ通信を介して通知するドライバ状態通知手段を有し、
前記情報サーバの基準ドライバ状態データ生成手段は、車載システムから通知されたドライバ状態情報から、各道路の各レーンを走行する際の基準となるドライバの状態を算定して前記基準ドライバ状態データを生成することを特徴とする注意喚起システム。
【請求項３】
請求項１または２記載の注意喚起システムであって、
前記ドライバの状態は、ドライバの感情または生理的な状態であることを特徴とする注意喚起システム。
【請求項４】
請求項３記載の注意喚起システムであって、
前記ドライバの状態は、少なくともドライバの集中度を含むことを特徴とする注意喚起システム。
【請求項５】
請求項１、２、３または４記載の注意喚起システムであって、
時間帯、曜日、路面状態、交通状態、天気のうちの少なくとも一つの状況を属性値として、前記情報サーバの前記データベースには、前記各道路の各レーンに対応づけた前記基準ドライバ状態データが、前記各属性値毎に当該属性値に対応づけられて格納されており、
各前記基準ドライバ状態データは、対応づけられた道路のレーンを、対応づけられた属性値が示す状況で走行する際の基準となるドライバの状態を表し、
前記情報サーバの前記データ提供手段は、前記基準ドライバ状態データを要求した車載システムが搭載された自動車が現在走行している状況を示す前記属性値を識別し、前記データベースの、当該車載システムから要求された道路とレーンに対応づけられた前記基準ドライバ状態データのうちの、前記識別した属性値に対応づけられた前記基準ドライバ状態データを、前記データ通信によって前記車載システムに提供することを有することを特徴とする注意喚起システム。
【発明の詳細な説明】
【技術分野】
【０００１】
本発明は、自動車に搭載された車載システムにおいて、運転者の注意を喚起する技術に関するものである。
【背景技術】
【０００２】
自動車に搭載された車載システムにおいて、運転者の注意を喚起する技術としては、車両の進行方向を特定可能なリンク単位で、ヒヤリハット地点（危険地点）に対して警告を必要とする箇所を含むリンクをヒヤリハット地点警告リンクとして管理し、自動車がヒヤリハット地点警告リンクに進入したときに警告を行う技術が知られている（たとえば、特許文献１）。
【０００３】
また、車載機器において、運転手の心電及び血圧に基づいた眠気、緊張度のレベル及び車両位置を検出して危険発生箇所情報収集装置へ送信し、危険発生箇所情報収集装置において、車載機器から受信した運転手の心電及び血圧に基づいた眠気、緊張度のレベル及び車両位置を危険発生箇所に関する情報として収集する技術も知られている（たとえば、特許文献２）。
【先行技術文献】
【特許文献】
【０００４】
【特許文献１】特開２０１６-３８６１３号公報
【特許文献２】特開２００７-９４５４２号公報
【発明の概要】
【発明が解決しようとする課題】
【０００５】
同じ道路を走行している場合でも、その道路を走行している状況に応じて運転者に求められる集中度の程度は異なる。
すなわち、たとえば、交差点手前の同じ道路を走行しているときでも、交差点を右折する場合と左折する場合と直進する場合とでは、運転者に求められる集中度の程度は異なる。また、同じ道路を走行しているときでも、走行車線を走行している場合と、追い越し車線を走行している場合とでは、運転者に求められる集中度の程度は異なる。
【０００６】
しかし、上述した自動車がヒヤリハット地点警告リンクとして設定したリンクに進入したときに警告を行う技術によれば、ヒヤリハット地点警告リンクに進入した運転者に等しく警告を行うので、道路を走行している状況に応じた運転者の注意喚起を行うことができない。
【０００７】
そこで、本発明は、道路を走行している状況に応じた運転者の注意喚起を行うことを課題とする。
【課題を解決するための手段】
【０００８】
前記課題達成のために、本発明は、自動車の運転者の注意を喚起する注意喚起システムに、情報サーバと、前記情報サーバと無線通信を介したデータ通信を行える、前記自動車に搭載された車載システムとを備えたものである。こここで、前記情報サーバは、各道路の各レーンに対応づけて、当該道路の当該レーンを走行する際の基準となるドライバの状態を表す基準ドライバ状態データを格納したデータベースと、車載システムに当該車載システムから要求された道路とレーンに対応づけられている前記データベースの基準ドライバ状態データを、前記データ通信によって前記車載システムに提供するデータ提供手段とを備えている。また、前記車載システムは、前記自動車が走行中の道路と走行中のレーンを検出する走行位置検出手段と、前記自動車のドライバの状態を検出する状態検出手段と、前記走行位置検出手段が検出した道路と前記走行位置検出手段が検出したレーンとに対応づけられた基準ドライバ状態データを、前記情報サーバの前記データ提供手段に要求することにより取得するデータ取得手段と、前記データ取得手段が取得した前記基準ドライバ状態データが表すドライバの状態に比べ、前記状態検出手段が検出した前記自動車のドライバの状態が運転に対する注意の程度が低いことを表しているときに、前記自動車のドライバの注意を喚起する所定の処理を行う注意喚起手段とを備えている。
【０００９】
ここで、このような注意喚起システムは、前記情報サーバに、基準ドライバ状態データを生成し前記データベースに格納する基準ドライバ状態データ生成手段を設け、前記車載システム、前記状態検出手段が検出した前記自動車のドライバの状態を、当該ドライバの状態を検出した時点に前記自動車が走行していた道路とレーンと共にドライバ状態情報として前記情報サーバに前記データ通信を介して通知するドライバ状態通知手段を設け、前記情報サーバの基準ドライバ状態データ生成手段において、車載システムから通知されたドライバ状態情報から、各道路の各レーンを走行する際の基準となるドライバの状態を算定して前記基準ドライバ状態データを生成するように構成してもよい。
【００１０】
また、以上の注意喚起システムにおいて、前記ドライバの状態は、ドライバの感情または生理的な状態であってよい。
また、この場合には、前記ドライバの状態には、少なくともドライバの集中度を含めるようにしてもよい。
また、以上の注意喚起システムは、時間帯、曜日、路面状態、交通状態、天気のうちの少なくとも一つの状況を属性値として、前記情報サーバの前記データベースに、前記各道路の各レーンに対応づけた前記基準ドライバ状態データを、前記各属性値毎に当該属性値に対応づけて格納し、各前記基準ドライバ状態データを、対応づけられた道路のレーンを、対応づけられた属性値が示す状況で走行する際の基準となるドライバの状態を表すものとし、前記情報サーバの前記データ提供手段において、前記基準ドライバ状態データを要求した車載システムが搭載された自動車が現在走行している状況を示す前記属性値を識別し、前記データベースの、当該車載システムから要求された道路とレーンに対応づけられた前記基準ドライバ状態データのうちの、前記識別した属性値に対応づけられた前記基準ドライバ状態データを、前記データ通信によって前記車載システムに提供するように構成してもよい。
【００１１】
以上のような注意喚起システムによれば、走行中のレーンや自動車が関わる時間帯、曜日、路面状態、交通状態、天気等の状況毎に、当該状況に応じた運転者の注意喚起を行うことができる。
【発明の効果】
【００１２】
以上のように、本発明によれば、道路を走行している状況に応じた運転者の注意喚起を行うことができる。
【図面の簡単な説明】
【００１３】
【図１】本発明の実施形態に係る注意喚起システムの構成を示すブロック図である。
【図２】本発明の実施形態に係る車載システムと情報管理システムの構成を示すブロック図である。
【図３】本発明の実施形態に係る生体センサの例を示す図である。
【図４】本発明の実施形態に係るドライバ状態情報通知処理を示すフローチャートである。
【図５】本発明の実施形態に係るドライバ状態情報と統計情報データベースを示す図である。
【図６】本発明の実施形態に係る注意喚起処理を示すフローチャートである。
【図７】本発明の実施形態に係る注意喚起処理の処理例を示す図である。
【発明を実施するための形態】
【００１４】
以下、本発明の実施形態について説明する。
図１に、本実施形態に係る注意喚起システムの構成を示す。
図示するように、本実施形態に係る注意喚起システムは、個々の自動車に搭載された車載システム１と、情報管理システム２とを有している。情報管理システム２はインターネットなどのＷＡＮ３に接続しており、各車載システム１は、移動通信を介してＷＡＮ３上の情報管理システム２にアクセスすることができる。
【００１５】
次に、図２に示すように、車載システム１は、地図データを記憶した地図データ記憶部１０１、現在位置や進行方位の衛星測位を行うＧＰＳ受信器などのＧＮＮＳ受信器１０２、自動車の前方や後方を撮影する車外撮影カメラ１０３、Bluetooth（登録商標）やWi-Fiなどのローカルな無線通信を行う近距離無線通信装置１０４、運転者の生体情報を検出し出力する１または複数の生体センサ１０５、移動通信を行う移動通信装置１０６、表示装置１０７、入力装置１０８、音声出力装置１０９、制御装置１１０を備えている。
【００１６】
ここで、生体センサ１０５としては、たとえば、図３に示すように運転者の脳波を測定し生体情報として出力する、運転者の頭部に装着された脳波計１０５１や、運転者の顔を撮影し生体情報として出力するカメラ１０５２や、運転者の脈拍や体温を測定し生体情報として出力する、運転者の腕に装着されたセンサ１０５３や、運転者の呼吸や心拍を測定し生体情報として出力する、運転席に埋め込まれたセンサ１０５４等を単独または組み合わせて用いることができる。なお、生体センサ１０５は、ローカルな無線通信で近距離無線通信装置１０４と接続している。
【００１７】
図２に戻り、車載システム１の制御装置１１０は、ナビゲーション部１０１１、注意喚起部１０１２、ドライバ状態検出部１０１３、情報通知部１０１４を備えている。
また、ナビゲーション部１０１１は、走行位置検出部１０１１１と、案内処理部１０１１２とを備えている。
走行位置検出部１０１１１は、ＧＮＮＳ受信器１０２で受信した測位位置や、車外撮影カメラ１０３で撮影した自動車の前方や後方の画像に対して行った画像認識処理による白線/レーン認識の結果や、地図データ記憶部１０１に記憶されている地図データに基づいて、自動車が現在位置している地点、自動車が現在走行している道路区間、自動車が現在走行しているレーンを検出する。ここで、自動車が現在走行している道路区間は、道路とその道路上の区間の組み合わせを表す。また、道路区間は、道路の進む方向（上り、下り）毎に設定されており、道路のどの部分部分の各々を道路区間とするかは、予め地図データにおいて定義されている。また、各地図データには、各道路区間のレーン構成の情報も含まれている。
【００１８】
次に、案内処理部１０１１２は、地図データ記憶部１０１に記憶されている地図データが表す地図上に、走行位置検出部１０１１１が検出した自動車が現在位置している地点を表すマークを表したナビゲーション画像を表示装置１０７に表示する。また、案内処理部１０１１２は、ユーザから目的地の設定を受け付けて、目的地までの走行位置検出部１０１１１が検出した自動車が現在位置している地点からの経路を探索して誘導ルートに設定し、ナビゲーション画像上で誘導ルートを案内する処理も行う。
【００１９】
なお、走行位置検出部１０１１１は、誘導ルートが設定されている場合には、誘導ルートと、地図データの各道路区間のレーン構成の情報とより、自動車が現在走行しているレーンを検出するようにしてもよい。すなわち、たとえば、誘導ルートが右折する交差点の手前に右折レーンが一つだけ存在する場合には、当該交差点手前の道路区間では、右折レーンを自動車が現在走行しているレーンとして検出するようにしてもよい。
【００２０】
次に、制御装置１１０のドライバ状態検出部１０１３は、各生体センサ１０５が出力する運転者の生体情報から、運転者の集中度や緊張度などの各種状態をドライバ状態として検出する。
【００２１】
次に、情報管理システム２は、情報収集サーバ２１、ドライバ状態情報データベース２２、統計処理部２３、統計情報データベース２４、統計情報提供サーバ２５を備えている。
【００２２】
以下、車載システム１の情報通知部１０１４が行うドライバ状態情報通知処理について説明する。
図４に、このドライバ状態情報通知処理の手順を示す。
図示するように、情報通知部１０１４は、ドライバ状態情報通知処理において、自動車が対象道路区間に侵入するのを監視する（ステップ４０２）。ここで、対象道路区間は、地図データに定義されている道路区間のうちの、交差点手前の道路区間やカーブ手前の道路区間等である。なお、このような対象道路区間は、予め地図データに定義しておいてもよいし、情報通知部１０１４において、進入した道路区間が対象道路区間であるかどうかを、進入した道路区間が交差点手前の道路区間やカーブ手前の道路区間であるかどうかを地図データを参照して求めて算定するようにしてもよい。
【００２３】
そして、自動車が対象道路区間に侵入したならば（ステップ４０２）、ドライバ状態検出部１０１３が検出するドライバ状態と、走行履歴の記録を開始する（ステップ４０４）。ここで、走行履歴は、走行位置検出部１０１１１が算出した、各時点において自動車が位置している地点、各時点において自動車が現在走行している道路区間、各時点において自動車が現在走行しているレーンの履歴である
そして、自動車が対象道路区間を通過して退出したならば（ステップ４０６）、ドライバ状態と走行履歴の記録を停止する（ステップ４０８）。
【００２４】
そして、記録しておいたドライバ状態から、退出した道路区間走行時のドライバ状態を算定する（ステップ４１０）。ここで、退出した道路区間走行時のドライバ状態としては、ドライバ状態検出部１０１３が退出した道路区間を走行している期間中に検出したドライバ状態の平均値や最大値を用いてもよいし、ドライバ状態検出部１０１３が退出した道路区間に進入した時点に検出したドライバ状態を用いてもよいし、走行履歴を参照して求まる退出した道路区間の中点を走行した時点にドライバ状態検出部１０１３が検出したドライバ状態を用いてもよいし、走行履歴を参照して求まる道路区間を退出した時点にドライバ状態検出部１０１３が検出したドライバ状態を用いてもよい。
【００２５】
そして、次に、算定した退出した道路区間走行時のドライバ状態と、記録されている走行履歴から、退出した道路区間のドライバ状態情報を作成し、情報管理システム２の情報収集サーバ２１に移動通信装置１０６を介して送信し（ステップ４１４）、ステップ４０２からの処理に戻る。
【００２６】
ここで、ステップ４１４では、退出した道路区間のドライバ状態情報として、図５ａに示すように、退出した道路区間を示す走行道路区間、走行履歴が示す退出した道路区間で走行したレーンを表す走行レーン、退出した道路区間を走行した日時を表す走行日時、ステップ４１０で算定したドライバ状態とを含める。
【００２７】
さて、車載システム１から、ドライバ状態情報を受信した情報管理システム２の情報収集サーバ２１は、受信したドライバ状態情報をドライバ状態情報データベース２２に格納する。
【００２８】
また、情報管理システム２の統計処理部２３は、定期的、または、ドライバ状態情報データベース２２にドライバ状態情報が格納される度に、ドライバ状態情報データベース２２に格納されているドライバ状態情報に対して、所定の統計処理を行ってドライバ状態統計値を生成し、統計情報データベース２４に格納する。
【００２９】
ここで、図５ｂに示すように、ドライバ状態統計値は、道路区間とレーンの組み合わせ毎に生成し、道路区間とレーンの組み合わせに対応づけて格納する。道路区間ＡとレーンＢの組み合わせに対して生成されるドライバ状態統計値は、ドライバ状態情報データベース２２に格納されているドライバ状態情報のうちの、道路区間Ａが走行道路区間として登録されており、レーンＢが走行レーンとして登録されている各ドライバ状態情報のドライバ状態の統計値であり、この統計値としては、ドライバ状態の平均値や中央値などを用いる。
【００３０】
次に、車載システム１の注意喚起部１０１２が行う注意喚起処理について説明する。
図６に、この注意喚起処理の手順を示す。
図示するように、注意喚起部１０１２は注意喚起処理において、自動車が対象道路区間に侵入するのを監視する（ステップ６０２）。
そして、自動車が対象道路区間に侵入したならば（ステップ６０２）、走行位置検出部１０１１１が算出している自動車が現在走行している道路区間と自動車が現在走行しているレーンとを、走行道路区間、走行レーンとして取得する（ステップ６０４）。
【００３１】
そして、走行道路区間、走行レーンの識別を含めたドライバ状態統計値の提供要求を、移動通信装置１０６を介して、情報管理システム２の統計情報提供サーバ２５に発行することにより走行道路区間、走行レーンの組み合わせに対応するドライバ状態統計値を取得する（ステップ６０６）。但し、走行が予測される走行道路区間の各レーンのドライバ状態統計値を予め統計情報提供サーバ２５から取得しておき、ステップ６０６では、取得しておいたドライバ状態統計値のうちから、走行中の走行道路区間と走行レーンの組み合わせに対応するドライバ状態統計値を取得するようにしてもよい。
【００３２】
ここで、情報管理システム２の統計情報提供サーバ２５は、車載システム１の注意喚起部１０１２からドライバ状態統計値の提供要求を受信したならば、提供要求に含まれる識別が示す走行道路区間となっている道路区間と走行レーンとなっているレーンの組み合わせに対応づけて格納されているドライバ状態統計値を統計情報データベース２４から取得し、提供要求を発行した注意喚起部１０１２に送信する。
【００３３】
次に、注意喚起部１０１２は、ドライバ状態統計値を取得したならば（ステップ６０６）、自動車が対象道路区間を通過し退出するまで（ステップ６１４）、ドライバ状態検出部１０１３が検出しているドライバ状態を取得し（ステップ６０８）、ドライバ状態検出部１０１３が検出しているドライバ状態が表す運転者が運転に注意を払っている度合いが、ステップ６０６で取得したドライバ状態統計値が表す運転者が運転に注意を払っている度合いよりも低いかどうかを調べ（ステップ６１０）、低い場合には、注意喚起を出力する（ステップ６１２)処理を繰り返す。
【００３４】
ここで、運転者が運転に注意を払っている度合いは、ドライバ状態やドライバ状態統計値が示す集中度や緊張度が高いほど、運転に注意を払っている度合いが高いものとして算定する。
【００３５】
また、注意喚起の出力は、たとえば、音声出力装置１０９からブザー音などの警告音を出力したり、「この先注意してください」といった音声メッセージを出力することにより行う。また、注意喚起の出力は、自動車が備えているカーオーディオの出力音を消音したり、自動車に備えたアロマデフューザから所定のアロマを放出すること等により行うようにしてもい。
【００３６】
そして、自動車が対象道路区間を退出したならば（ステップ６１４）、ステップ６０２からの処理に戻る。
以上、注意喚起部１０１２が行う注意喚起処理について説明した。
ここで、このような注意喚起処理の処理例を図７に示す
。
いま、図７ａに示すように、直進レーンＳと右折レーンＲの２車線が設定されている対象道路区間Ｐが設定されており、対象道路区間Ｐの直進レーンＳのドライバ状態統計値が表す運転者が運転に注意を払っている度合いが５０％であり、対象道路区間Ｐの右折レーンＲのドライバ状態統計値が表す運転者が運転に注意を払っている度合いが７０％であるものとする。
【００３７】
この場合、対象道路区間Ｐの直進レーンＳに進入した自動車のドライバ状態検出部１０１３が検出しているドライバ状態が表す運転者が運転に注意を払っている度合いが６０％である場合には、ドライバ状態統計値が表す度合い５０％より高いので、注意喚起は出力されない。一方、ドライバ状態検出部１０１３が検出しているドライバ状態が表す運転者が運転に注意を払っている度合いが同様に６０％であっても、対象道路区間Ｐの右折レーンＲに進入した自動車の運転者に対しては、ドライバ状態統計値が表す度合い７０％よりも低いので注意喚起が出力される。
【００３８】
このように、本注意喚起システムによれば、各レーンに対して当該レーンを走行する際に妥当な注意の程度を設定することができると共に、自動車が走行しているレーンに応じて、当該レーンに対して設定されている程度の注意を運転者が払っていない場合に注意を喚起することができる。よって、自動車を走行しているレーンに応じた運転者の注意喚起を行うことができる。
【００３９】
なお、以上の注意喚起処理では、たとえば、図７ｃに示すように、ナビゲーション部１０１１の案内処理部１０１１２が表示装置１０７に表示しているナビゲーション画像上の対象道路区間の各レーンに、取得した当該レーンのドライバ状態統計値が表す運転者が運転に注意を払っている度合いを表すマークＭ１、Ｍ２を表示するようにしてもよい。また、さらに、ドライバ状態検出部１０１３が検出しているドライバ状態が表す運転者が運転に注意を払っている度合を表すマークＭ３も、ナビゲーション画像上に表示するようにしてもよい。
【００４０】
以上、本発明の実施形態について説明した。
ところで、以上の実施形態では、情報管理システム２の統計処理部２３において、道路区間とレーンの組み合わせ毎にドライバ状態統計値を生成して統計情報データベース２４に格納したが、これは、図５ｃに示すように、統計処理部２３において、道路区間とレーンと所定の走行属性の組み合わせ毎にドライバ状態統計値を生成し、道路区間とレーンと走行属性の組み合わせに対応づけてドライバ状態情報データベース２２に格納するようにしてもよい。ここで、走行属性は、自動車の走行に関わる事項であり、この走行属性としては、たとえば、時間帯や曜日や天気や路面状況や交通状態等のいずれか、または、これらの任意の組み合わせを用いることができる。
【００４１】
また、このような走行属性は、車載システム１の情報通知部１０１４が、現時点の時間帯や曜日や現地点の天気や路面状況や交通状態のうちの走行属性とする値を検出してドライバ状態情報に含めて情報収集サーバ２１に送信することにより、ドライバ状態情報データベース２２にドライバ状態情報の一部として格納することにより、統計処理部２３においてドライバ状態情報データベース２２に格納されたドライバ状態情報から識別できるようにしてもよいし、情報収集サーバ２１において、ドライバ状態情報を受信したときに、走行属性を算定してドライバ状態情報に含めてドライバ状態情報データベース２２に格納することにより、統計処理部２３においてドライバ状態情報データベース２２に格納されたドライバ状態情報から識別できるようにしてもよい。
【００４２】
なお、情報収集サーバ２１において、ドライバ状態情報を受信したときに、走行属性を算定してドライバ状態情報に含めてドライバ状態情報データベース２２に格納する場合における走行属性の算定は、たとえば、時間帯や曜日はドライバ状態情報に含まれる走行日時より算定することにより行い、天気や路面状況や交通状態は、ドライバ状態情報に含まれる走行道路区間から求まるドライバ状態情報を生成した車載システム１が搭載された自動車の位置における天気や路面状況や交通状態を、これらの情報を管理している外部の気象情報システムや交通情報システムから取得することにより行う。
【００４３】
また、このように、道路区間とレーンと走行属性の組み合わせに対応づけてドライバ状態統計値をドライバ状態情報データベース２２に格納する場合、情報管理システム２の統計情報提供サーバ２５は、車載システム１の注意喚起部１０１２からドライバ状態統計値の提供要求を受信したならば、提供要求に含まれる識別が示す走行道路区間となっている道路区間と走行レーンとなっているレーンと、現時点の提供要求の発行元の車載システム１が搭載された自動車の走行属性との組み合わせに対応づけて格納されているドライバ状態統計値を統計情報データベース２４から取得し、提供要求を発行した注意喚起部１０１２に送信するようにする。
【００４４】
なお、この場合、現時点の提供要求の発行元の車載システム１が搭載された自動車の走行属性は、車載システム１の注意喚起部１０１２が検出して提供要求に含めて統計情報提供サーバ２５に送信することにより、統計情報提供サーバ２５において識別できるようにしてもよいし、統計情報提供サーバ２５において、提供要求を受信したときに、上述した情報収集サーバ２１における走行属性の算定と同様の処理によって算定するようにしてもよい。
【００４５】
このようにすることにより、走行中のレーンに加えて時間帯や曜日や天気や路面状況や交通状態の状況等の自動車の走行の状況に応じた注意喚起を行うことができるようになる。
【符号の説明】
【００４６】
１…車載システム、２…情報管理システム、３…ＷＡＮ、２１…情報収集サーバ、２２…ドライバ状態情報データベース、２３…統計処理部、２４…統計情報データベース、２５…統計情報提供サーバ、１０１…地図データ記憶部、１０２…ＧＮＮＳ受信器、１０３…車外撮影カメラ、１０４…近距離無線通信装置、１０５…生体センサ、１０６…移動通信装置、１０７…表示装置、１０８…入力装置、１０９…音声出力装置、１１０…制御装置、１０１１…ナビゲーション部、１０１２…注意喚起部、１０１３…ドライバ状態検出部、１０１４…情報通知部、１０１１１…走行位置検出部、１０１１２…案内処理部。
【図１】
2020009084.tif 000003
【図２】
2020009084.tif 000004
【図３】
2020009084.tif 000005
【図４】
2020009084.tif 000006
【図５】
2020009084.tif 000007
【図６】
2020009084.tif 000008
【図７】
2020009084.tif 000009